(57)【要約】【課題】溶接作業が不要で、位置調整などを容易として作業性に優れた天井被吊下げ物の吊下げ装置を提供する。【解決手段】天井本体の吊杆３に横杆５，６を取付け、この横杆６により装置本体１１を吊下げ固定する。吊杆３の雄螺子部３Ａに一対の半割ナット２２，２２からなるナット体２１を螺合し、このナット体２１に横杆５を掛け止めする掛け止め部２６を設ける。雄螺子部３Ａに半割ナットを被せるようにしてナット体２１を組み立てて取り付け、ナット体２１を回して高さ位置を調整し、その掛け止め部２６に横杆５を掛け止めすることにより、装置本体１１を天井に簡便に取り付けることができる。【選択図】      図１
2004301187.tif 000002
【特許請求の範囲】
【請求項１】
天井本体の吊杆に横杆を取付け、この横杆により被吊下げ物を吊下げ固定する天井被吊下げ物の吊下げ装置において、前記吊杆に雄螺子部を設け、この雄螺子部に一対の半割ナットからなるナット体を螺合し、このナット体に前記横杆を掛け止めする掛け止め部を設けたことを特徴とする天井被吊下げ物の吊下げ装置。
【請求項２】
前記掛け止め部が前記ナット体の下方に位置して設けられていることを特徴とする請求項１記載の天井被吊下げ物の吊下げ装置。
【発明の詳細な説明】
【０００１】
【発明の属する技術分野】
本発明は、天井に吊下げ固定する天井被吊下げ物の吊下げ装置に関する。
【０００２】
【従来の技術】
天井の吊下げ固定するものとして空調装置や照明装置などがあり、例えば天井面に開口された天井開口部に装置本体を取り付けた天井埋め込み式空調装置が知られている（例えば特許公報１）。この空調装置は天井開口部上方の吊り木から下方に延設された吊りボルトに取り付けられる。
【０００３】
この一例を図６により説明すると、天井構造として、床スラブである天井本体１には鋼材などからなる梁部材２が設けられ、この梁部材２に吊杆３を連結して該吊杆３を天井本体１に吊設し、その吊杆３の下部に天井材４を固定することにより、天井本体１と間隔を置いて天井材４を取り付けている。尚、天井材４は下面が室内に露出する化粧材であり、この天井材４より天井本体１は強度が大きい。
【０００４】
このような天井構造において、被吊下げ物たる空調装置の装置本体１１を取り付ける場合、コ字型などの形鋼からなる横杆１０１を前記吊杆３又はこの吊杆３に螺合したナット１０２に溶着し、その横杆１０１に設けた吊下げボルト１０３により、装置本体１１を天井材４の天井開口部４Ａに取り付ける。
【０００５】
【特許文献１】
特開平５−１４９５７４号公報
【０００６】
【発明が解決しようとする課題】
上記の取付構造では、天井材４を固定する吊杆３を利用して装置本体１１を簡易に取り付けることができるが、現場で、装置本体１１を天井開口部３Ａの高さに位置調整しながら、横杆１０１を吊杆３又は吊杆３に螺合したナット１０２に溶接する作業が必要となり、その溶接作業の分だけ作業性が低下する問題がある。
【０００７】
そこで、本発明は、溶接作業が不要で、位置調整などを容易として作業性に優れた天井被吊下げ物の吊下げ装置を提供することを目的とする。
【０００８】
【課題を解決するための手段】
請求項１の発明は、天井本体の吊杆に横杆を取付け、この横杆により被吊下げ物を吊下げ固定する天井被吊下げ物の吊下げ装置において、前記吊杆に雄螺子部を設け、この雄螺子部に一対の半割ナットからなるナット体を螺合し、このナット体に前記横杆を掛け止めする掛け止め部を設けたものである。
【０００９】
この請求項１の構成によれば、雄螺子部に半割ナットを被せるようにしてナット体を組み立てて取り付け、ナット体を回して高さ位置を調整し、その掛け止め部に横杆を掛け止めすることにより、被吊下げ物を天井に簡便に取り付けることができる。
【００１０】
また、請求項２の発明は、前記掛け止め部が前記ナット体の下方に位置して設けられているものである。
【００１１】
この請求項２の構成によれば、前記掛け止め部が前記ナット体の下方に位置するから、掛け止め部に横杆の荷重が加わると、ナット体を回転する方向に力が加わり、これによりナット体が雄螺子部に食い込んで確実な固定構造が得られる。
【００１２】
【発明の実施形態】
以下、本発明の実施形態を、添付図面を参照して説明する。図１〜図３は本発明の吊下げ装置の第１実施形態を示し、上述した図６と同一部分には同一符号を付し、その詳細な説明を省略して詳述する。同図に示すように、横杆５，５を左右に、横杆６，６を前後に略井桁状に並べて一体化した枠体７を形成する。対をなす横杆５，５の間隔は前記吊杆３，３の間隔に対応し、対をなす横杆６，６の間隔は装置本体１１の幅に対応するように形成する。尚、横杆５，６は鋼材から形成され、この例では角パイプを用いている。前記横杆６，６には、吊下げ部材たる吊下げボルト８，８，８，８が設けられ、該ボルト８に螺合したナット９により装置本体１１が吊下げられる。
【００１３】
前記吊杆３は雄螺子部３Ａが形成された螺子棒であり、その吊杆３に螺合する雌螺子部２１Ａを内部に有するナット体２１を用い、このナット体２１は一対の半割ナット２２，２２を組み立ててなり、その半割ナット２２，２２の合わせ目には接合用の鍔部２３，２３がそれぞれ設けられ、相互の鍔部２３，２３を突き合わせると共に、鍔部２３の孔２３Ａにボルト２４を挿通し、このボルト２４とナット２５とにより鍔部２３，２３を締め付けてナット体２１を形成する。
【００１４】
一方の半割ナット２２にはフック状をなす掛け止め部２６が設けられ、この掛け止め部２６は基端部２６Ａを半割ナット２２に固定し、先端部２６Ｂを自由端とし、前記横杆５の荷重を受ける受け部２６Ｃが、半割ナット２２の下端より下方に位置する。前記掛け止め部２６には透孔２７が穿設されており、この透孔２７に固定手段たるボルト２８を挿通し、このボルト２８を前記横杆５に螺合する。図２などに示すように、横杆５は鋼製角パイプであり、この角パイプの形状に対応して、前記掛け止め部２６は上部が開口した略コ字状をなす。
【００１５】
次に、前記吊下げ装置の施工方法につき説明すると、吊杆３に対をなす半割ナット２２，２２を被せ、相互の鍔部２３，２３をボルト２４とナット２５に締め付けて一体化し、ナット体９を組み立てる。このように吊杆３の途中にナット体９を組み付けることができるので、従来のように予めナットなどを螺合しておく必要がない。そして、ナット体９を回して高さ位置を調整することができると共に、前後に隣り合う吊杆３，３において、掛け止め部２６，２６の向きを合わせ、左右に隣り合う吊杆３，３において、掛け止め部２６，２６を向い合わせる。この後、枠体７の横杆５，５の両側を上方から掛け止め部２６，２６の受け部２６Ｃ，２６Ｃに係止し、枠体７を４個のナット体２１，２１，２１，２１により吊杆３，３，３，３に吊下げ、透孔２７を挿通したボルト２８を横杆５に螺合して固定する。
【００１６】
図２に示すように、掛け止め部２６に横杆５の荷重が加わると、受け部２６Ｃがナット体２１の下端より下方にあるため、ナット体２１の上端側を掛け止め部２６側に、下端側を反掛け止め部２６側に回転する力（白抜き矢印で図示）が加わり、ナット体２１の雌螺子部２１Ａが雌螺子部３Ａに食い込み、上方からの荷重に対して強固な固定構造が得られる。
【００１７】
このようにして、枠体７の吊下げボルト８により装置本体１１が天井開口部４Ａに取り付けられる。尚、ナット９により装置本体１１の高さ位置を微調整することもできる。
【００１８】
このように本実施形態では、請求項１に対応して、天井本体１の吊杆３に横杆５，６を取付け、この横杆６により被吊下げ物たる装置本体１１を吊下げ固定する天井被吊下げ物の吊下げ装置において、吊杆３に雄螺子部３Ａを設け、この雄螺子部３Ａに一対の半割ナット２２，２２からなるナット体２１を螺合し、このナット体２１に横杆５を掛け止めする掛け止め部２６を設けたから、雄螺子部３Ａに半割ナット２２，２２を被せるようにしてナット体２１を組み立てて取り付け、ナット体２１を回して高さ位置を調整し、その掛け止め部２６に横杆５を掛け止めすることにより、装置本体１１を天井に簡便に取り付けることができる。このようにして、吊杆３に横杆５を固定するから、従来のように溶接作業が不要となり、作業性の向上を図ることができる。
【００１９】
また、このように本実施形態では、請求項２に対応して、掛け止め部２６がナット体２１の下方に位置して設けられているから、掛け止め部２６に横杆５の荷重が加わると、ナット体２１を回転する方向に力が加わり、これによりナット体２１が雄螺子部３Ａに食い込んで確実な固定構造が得られる。
【００２０】
また、実施形態上の効果として、半割ナット２２，２２をボルトナットで一体化するから、ナット体２１の組立てが容易である。また、天井本体１の吊杆３に横杆５，６を取付け、この横杆６により被吊下げ物たる装置本体１１を吊下げ固定する天井埋め込み式空調装置などの機器の吊下げ装置であるから、装置本体１１を安定して天井に吊下げ固定することができる。さらに、ナット体２１と横杆５とを溶接以外の固定手段たるボルト２８で固定するから、作業性に優れ、確実な固定構造が得られる。
【００２１】
図４は本発明の第２実施形態を示し、上記第１実施形態と同一部分に同一符号を付し、その詳細な説明を省略して詳述すると、この例では、横杆５が鋼製の丸パイプからなり、これに対応して掛け止め部２６´の受け部２６Ｃが半円状に形成され、また、その受け部２６Ｃはナット体２１の下端より下方に位置している。
【００２２】
したがって、この例においても、吊杆３に半割ナット２２，２２を被せてナット体２１を組立て、その掛け止め部２６´に横杆５を掛け止めして装置本体１１を取り付けることができ、各請求項に対応して、上記第１実施形態と同様な作用・効果を奏する。
【００２３】
図５は本発明の第３実施形態を示し、上記第１実施形態と同一部分に同一符号を付し、その詳細な説明を省略して詳述すると、この例では、被吊下げ物が照明装置の装置本体１２であり、前記ナット体２１により吊杆３に支持された横杆６を用い、この横杆６に設けた前記吊下げボルト８の下端を天井材４から下方に突出し、この下端に照明装置の装置本体１２を吊下げ固定しており、第１実施形態と同様に、吊杆３を用いて天井材４の下方に装置本体１２を吊設することができ、重量を有する装置本体１２を安定して固定することができ、上記第１実施形態と同様な作用・効果を奏する。
【００２４】
本発明は上記実施形態に限定されるものではなく、本発明の要旨の範囲内において種々の変形実施が可能である。例えば、実施形態では、吊杆を天井本体に埋設した梁部材に固定した例を示したが、これには限定されず、天井本体を構成する他の部材に設けた吊杆や前記他の部材に固定したものに設けた吊杆を用いてもよい。また、枠体の形状も掛け止め部に掛け止めする横杆を備えていれば各種のものを用いることができる。また、必ずしも枠体を用いる必要はなく、使用する横杆の本数が１本以上であればよく、吊下げ部材たる吊下げボルトの数も適宜可能である。さらに、被吊下げ物は、天井開口部に設ける埋め込み式や天井材の下方に吊下げる式のタイプ以外でも、天井本体と天井材との間に吊下げ固定するものでもよい。また、被吊下げ物は各種装置或いは装置意外の各種もものを用いることができる。
【００２５】
【発明の効果】
請求項１の発明は、天井本体の吊杆に横杆を取付け、この横杆により被吊下げ物を吊下げ固定する天井被吊下げ物の吊下げ装置において、前記吊杆に雄螺子部を設け、この雄螺子部に一対の半割ナットからなるナット体を螺合し、このナット体に前記横杆を掛け止めする掛け止め部を設けたものであり、溶接作業が不要で、位置調整などを容易として作業性に優れた天井被吊下げ物の吊下げ装置を提供することができる。
【００２６】
また、請求項２の発明は、前記掛け止め部が前記ナット体の下方に位置して設けられているものであり、溶接作業が不要で、位置調整などを容易として作業性に優れた天井被吊下げ物を提供することができる。
【図面の簡単な説明】
【図１】本発明の第１実施形態を示す一部を断面にした斜視図である。
【図２】同上、ナット体回りの一部を断面にした正面図である。
【図３】同上、ナット体回りの平断面図である。
【図４】本発明の第２実施形態を示すナット体回りの一部を断面にした正面図である。
【図５】本発明の第３実施形態を示す要部の断面図である。
【図６】従来例を示す断面図である。
【符号の説明】
１  天井本体
３  吊杆
３Ａ  雄螺子部
４  天井材
５  横杆
６  横杆
９  ナット
１１  装置本体（被吊下げ物）
１２  装置本体（被吊下げ物）
２１  ナット体
２２  半割ナット
２６  掛け止め部
２６´  掛け止め部
【図１】
2004301187.tif 000003
【図２】
2004301187.tif 000004
【図３】
2004301187.tif 000005
【図４】
2004301187.tif 000006
【図５】
2004301187.tif 000007
【図６】
2004301187.tif 000008